(57)【要約】【課題】建物内部の断熱領域と非断熱領域とを合理的に使い分けることを考慮した空調システムを提供する。【解決手段】建物１の内部が、断熱手段３により、断熱領域Ａ１と非断熱領域Ａ２とに区画されており、断熱領域Ａ１内の温調装置設置用空間である小屋裏収納空間２１に、断熱領域Ａ１内の被空調空間としての室内空間２３〜２８を、温調用ダクト５を介して冷暖房可能な吹出型の温調装置としてのエアコンディショナ４が設置されており、非断熱領域Ａ２内の換気装置設置用空間である小屋裏空間２２に、断熱領域Ａ１内の被空調空間としての室内空間２３〜２８を、換気用ダクト９Ａ，９Ｂを介して換気可能な換気装置としての熱交換換気扇８が設置された構成とされている。【選択図】図１
2014134295.tif 000002
【特許請求の範囲】
【請求項１】
建物の内部が、断熱手段により、断熱領域と非断熱領域とに区画されており、
前記断熱領域内の温調装置設置用空間に、前記断熱領域内の被空調空間を、温調用ダクトを介して少なくとも冷房可能な吹出型の温調装置が設置されており、
前記非断熱領域内の換気装置設置用空間に、前記断熱領域内の被空調空間を、換気用ダクトを介して換気可能な換気装置が設置されていることを特徴とする空調システム。
【請求項２】
前記温調装置設置用空間は、小屋裏収納空間であることを特徴とする請求項１に記載の空調システム。
【請求項３】
前記換気装置設置用空間は、前記小屋裏収納空間外の小屋裏空間であることを特徴とする請求項２に記載の空調システム。
【請求項４】
前記小屋裏収納空間の直下の被空調空間の天井には、該小屋裏収納空間の前記温調装置の吸込部と連通する温調用空気排気口が設けられていることを特徴とする請求項２又は３に記載の空調システム。
【請求項５】
前記建物は複数階から成り、下階の被空調空間を温調する温調用ダクト及び下階の被空調空間を換気する換気用ダクトは、上階の壁内を通っていることを特徴とする請求項１乃至４のいずれか１項に記載の空調システム。
【請求項６】
請求項１乃至５のいずれか１項に記載の空調システムを備えていることを特徴とする建物。
【発明の詳細な説明】
【技術分野】
【０００１】
本発明は、建物の空調システム、及びこの空調システムを備えた建物に関するものである。
【背景技術】
【０００２】
従来から、建物全体の換気と温調を効率良く行うための空調システムの技術は多く提案され、実施に供されている（例えば、特許文献１等を参照）。
【先行技術文献】
【特許文献】
【０００３】
【特許文献１】特開２０１０−１９６９９７号公報
【発明の概要】
【発明が解決しようとする課題】
【０００４】
しかしながら、上記した特許文献１をはじめとした従来の空調システムでは、いかに換気と冷暖房などの温調とを複合して効率良くすることは考慮しているものの、建物内部の断熱領域と非断熱領域とをいかに合理的に使い分けるかについてまでは考慮されたものではなかった。
【０００５】
そこで、本発明は、建物内部の断熱領域と非断熱領域とを合理的に使い分けることを考慮した空調システム、及びこの空調システムを備えた建物を提供することを目的としている。
【課題を解決するための手段】
【０００６】
前記目的を達成するために、本発明の空調システムは、建物の内部が、断熱手段により、断熱領域と非断熱領域とに区画されており、前記断熱領域内の温調装置設置用空間に、前記断熱領域内の被空調空間を、温調用ダクトを介して少なくとも冷房可能な吹出型の温調装置が設置されており、前記非断熱領域内の換気装置設置用空間に、前記断熱領域内の被空調空間を、換気用ダクトを介して換気可能な換気装置が設置されていることを特徴とする。
【０００７】
ここで、前記温調装置設置用空間は、小屋裏収納空間であるとよい。
【０００８】
また、前記換気装置設置用空間は、前記小屋裏収納空間外の小屋裏空間であるとよい。
【０００９】
さらに、前記小屋裏収納空間の直下の被空調空間の天井には、該小屋裏収納空間の前記温調装置の吸込部と連通する温調用空気排気口が設けられているとよい。
【００１０】
また、前記建物は複数階から成り、下階の被空調空間を温調する温調用ダクト及び下階の被空調空間を換気する換気用ダクトは、上階の壁内を通っていてもよい。
【００１１】
本発明の建物は、上記した本発明の空調システムを備えていることを特徴とする。
【発明の効果】
【００１２】
このような本発明の空調システムは、建物の内部が、断熱手段により、断熱領域と非断熱領域とに区画されており、断熱領域内の温調装置設置用空間に、断熱領域内の被空調空間を、温調用ダクトを介して少なくとも冷房可能な吹出型の温調装置が設置されており、非断熱領域内の換気装置設置用空間に、断熱領域内の被空調空間を、換気用ダクトを介して換気可能な換気装置が設置された構成とされている。
【００１３】
上記した構成なので、特に夏場において、温調用ダクトの表面は、温調装置による冷房時には、断熱領域に配置しないと結露し易く、換気用ダクトは、換気装置による換気時にも、断熱領域と非断熱領域のいずれに配置しても結露し難いため、断熱領域内の空調装置設置用空間に空調装置を設置し、非断熱領域内の換気装置設置用空間に換気装置を設置することにより、非断熱領域を広くとる分、断熱領域を狭くすることができるため、用いる断熱手段が少なくて済み、低コストで実施することができる。
【００１４】
ここで、温調装置設置用空間は、小屋裏収納空間である場合は、特に冷房時に、温調用空気である冷気は自然と上から下に流れるので、温調装置からの吹出力を小さくでき、省エネルギーとなる。
【００１５】
また、換気装置設置用空間は、小屋裏収納空間外の小屋裏空間である場合は、比較的高価な小屋裏収納空間を不要に広げなくて済むうえに、換気装置を所謂デッドスペースに設置することができ、さらには、温調装置と換気装置とが近傍に設置されるので、温調用ダクトと換気用ダクトとの配管が略同時に行え、施工性が良い。
【００１６】
さらに、小屋裏収納空間の直下の被空調空間の天井には、小屋裏収納空間の温調装置の吸込部と連通する温調用空気排気口が設けられている場合は、温調用空気を排気するための温調用ダクトを配管する必要がないため、施工性が良く、低コストで実施することができる。
【００１７】
また、建物は複数階から成り、下階の被空調空間を温調する温調用ダクト及び下階の被空調空間を換気する換気用ダクトは、上階の壁内を通っている場合は、温調用ダクト及び換気用ダクトが建物の内部空間に露出することがないので、見栄えを良くすることができる。
【００１８】
このような本発明の建物は、上記した本発明の空調システムを備えた構成とされている。
【００１９】
上記した構成なので、上記した本発明の空調システムの効果を奏する建物とすることができる。
【図面の簡単な説明】
【００２０】
【図１】実施例の空調システムを備えた建物の概略構成を示す説明図である。
【発明を実施するための形態】
【００２１】
以下、本発明を実施するための形態を、図面に示す実施例に基づいて説明する。
【実施例】
【００２２】
先ず、実施例の構成について説明する。
【００２３】
図１は、実施例の空調システムを備えた建物１の概略構成を示している。
【００２４】
この実施例の建物１は、図１に示したように、内部空間２として、小屋裏収納空間２１と、小屋裏空間２２と、被空調空間しての、１階の室内空間２３，２４，２５と２階の室内空間２６，２７，２８とを有している。
【００２５】
なお、室内空間２５，２８は、階段の図示は省略したが、階段ホールとされている。
【００２６】
そして、小屋裏空間２２と室内空間２３〜２８の周囲には、断熱材や高断熱性能の建材などから成る断熱手段３が設けられ、その内側に断熱領域Ａ１が形成され、その外側に非断熱領域Ａ２が形成されている。
【００２７】
ここで、小屋裏収納空間２１内には、吹出部４ａと吸込部４ｂとを有する吹出型の温調装置としての冷暖房機能を有するエアコンディショナ４が設置されている。
【００２８】
そして、温調用空気（冷気又は暖気）が、吹出部４ａから温調用ダクト５を介して、被空調空間としての室内空間２３〜２８の上部（天井又は壁）にそれぞれ設けられた温調用空気給気口１０から給気可能とされている。
【００２９】
なお、１階の室内空間２３，２４，２５に温調用空気を給気するための温調用ダクト５は、２階の壁６内及び１階の室内空間２５の天井裏を通っている。
【００３０】
また、被空調空間としての室内空間２３〜２８を温調した後の温調用空気は、小屋裏収納空間２１の直下の被空調空間しての２階の室内空間２８の天井に設けられた温調用空気排気口７から排気され、温調装置としてのエアコンディショナ４の吸込部４ｂから吸い込まれる。
【００３１】
なお、図示省略のドアの隙間や階段の上部空間などが温調用空気の排気経路となる。
【００３２】
さらに、小屋裏収納空間２１の外側の小屋裏収納空間２１内には、換気装置としての熱交換換気扇８が設置されている。
【００３３】
そして、吸入口１３から吸入された外気が、換気用空気として、換気用ダクト９Ａを介して、被空調空間としての室内空間２３，２４，２６，２７の上部（天井）にそれぞれ設けられた換気用空気給気口１１から給気可能とされている。
【００３４】
なお、１階の室内空間２３，２４，２５に換気用空気を給気するための換気用ダクト９Ａは、２階の壁６内及び１階の室内空間２５の天井裏を通っている。
【００３５】
また、被空調空間としての室内空間２３〜２８を換気した後の換気は、被空調空間としての１階の室内空間２５及び２階の室内空間２８の天井にそれぞれ設けられた換気用空気排気口１２から換気用ダクト９Ｂを介して排気され、吐出口１４から屋外に排出される。
【００３６】
なお、図示省略のドアの隙間などが換気用空気の排気経路となる。
【００３７】
また、１階の室内空間２３，２４，２５を換気した後の換気用空気を排気するための換気用ダクト９Ｂも、２階の壁６内及び１階の室内空間２５の天井裏を通っている。
【００３８】
次に、実施例の作用効果について説明する。
【００３９】
このような実施例の空調システムは、建物１の内部が、断熱手段３により、断熱領域Ａ１と非断熱領域Ａ２とに区画されており、断熱領域Ａ１内の温調装置設置用空間である小屋裏収納空間２１に、断熱領域Ａ１内の被空調空間としての室内空間２３〜２８を、温調用ダクト５を介して冷暖房可能な吹出型の温調装置としてのエアコンディショナ４が設置されており、非断熱領域Ａ２内の換気装置設置用空間である小屋裏空間２２に、断熱領域Ａ１内の被空調空間としての室内空間２３〜２８を、換気用ダクト９Ａ，９Ｂを介して換気可能な換気装置としての熱交換換気扇８が設置された構成とされている。
【００４０】
上記した構成なので、特に夏場において、温調用ダクト５の表面は、温調装置としてのエアコンディショナ４による冷房時には、断熱領域Ａ１に配置しないと結露し易く、換気用ダクト９Ａ，９Ｂは、換気装置としての熱交換換気扇８による換気時にも、断熱領域Ａ１と非断熱領域Ａ２のいずれに配置しても結露し難いため、断熱領域Ａ１内の温調装置設置用空間である小屋裏収納空間２１に温調装置としてのエアコンディショナ４を設置し、非断熱領域Ａ２内の換気装置設置用空間である小屋裏空間２２に換気装置としての熱交換換気扇８を設置することにより、非断熱領域Ａ２を広くとる分、断熱領域Ａ１を狭くすることができるため、用いる断熱手段３が少なくて済み、低コストで実施することができる。
【００４１】
ここで、温調装置設置用空間は、小屋裏収納空間２１である。
【００４２】
このため、特に冷房時に、温調用空気である冷気は自然と上から下に流れるので、温調装置としてのエアコンディショナ４からの吹出力を小さくでき、省エネルギーとなる。
【００４３】
また、換気装置設置用空間は、小屋裏収納空間２１の外の小屋裏空間２２である。
【００４４】
このため、比較的高価な小屋裏収納空間２１を不要に広げなくて済むうえに、換気装置としての熱交換換気扇８を所謂デッドスペースに設置することができ、さらには、温調装置としてのエアコンディショナ４と換気装置としての熱交換換気扇８とが近傍に設置されるので、空調用ダクト５と換気用ダクト９Ａ，９Ｂとの配管が略同時に行え、施工性が良い。
【００４５】
さらに、小屋裏収納空間２１の直下の被空調空間としての２階の室内空間２８の天井には、小屋裏収納空間２１の温調装置としてのエアコンディショナ４の吸込部４ｂと連通する温調用空気排気口７が設けられている。
【００４６】
このため、温調用空気を排気するための温調用ダクトを配管する必要がないため、施工性が良く、低コストで実施することができる。
【００４７】
また、建物１は２階から成り、１階の被空調空間としての室内空間２３，２４，２５を温調する温調用ダクト５及び１階の被空調空間としての室内空間２３，２４，２５を換気する換気用ダクト９Ａ，９Ｂは、２階の壁６内を通っている。
【００４８】
このため、温調用ダクト５及び換気用ダクト９Ａ，９Ｂが建物１の内部空間２に露出することがないので、見栄えを良くすることができる。
【００４９】
このような実施例の建物１は、上記した実施例の空調システムを備えた構成とされている。
【００５０】
上記した構成なので、上記した実施例の空調システムの作用効果を奏する建物とすることができる。
【００５１】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００５２】
例えば、上記した実施例では、建物１を２階建てにして実施したが、これに限定されず、１階建てや３階建て以上の建物にして実施してもよい。
【００５３】
また、上記した実施例では、温調装置設置用空間を小屋裏収納空間２１として実施したが、これに限定されず、例えば、温調装置設置用空間を床下空間などにして実施してもよい。
【００５４】
さらに、上記した実施例では、温調装置としてのエアコンディショナ４に冷暖房可能なものを用いて実施したが、これに限定されず、冷房のみ可能なものを用いて実施してもよい。
【符号の説明】
【００５５】
１      建物
２      内部空間
２１    小屋裏収納空間（温調装置設置用空間）
２２    小屋裏空間
２３    室内空間（被空調空間）
２４    室内空間（被空調空間）
２５    室内空間（被空調空間）
２６    室内空間（被空調空間）
２７    室内空間（被空調空間）
２８    室内空間（被空調空間）
Ａ１    断熱領域
Ａ２    非断熱領域
３      断熱手段
４      エアコンディショナ（温調装置）
４ａ    吹出部
４ｂ    吸込部
５      温調用ダクト
６      壁
７      温調用空気排気口
８      熱交換換気扇（換気装置）
９Ａ    換気用ダクト
９Ｂ    換気用ダクト
１０    温調用空気給気口
１１    換気用空気給気口
１２    換気用空気排気口
１３    吸入口
１４    吐出口
【図１】
2014134295.tif 000003